Podtech/llm-jp-corpus-v4-ja_patent huggingface dataset:
【手続補正書】
【提出日】平成20年12月4日(2008.12.4)
【手続補正１】
【補正対象書類名】特許請求の範囲
【補正対象項目名】請求項７
【補正方法】変更
【補正の内容】
【請求項７】
タバコの煙フィルターの製造装置であって、
一連のタバコの煙フィルター材料を長手方向に連続して前進させる手段と、
前記前進するフィルター材料を収集する装置と、
ロッド形状に、前記前進して収集されるフィルター材料を形成して固定するプラグメーカーと、
添加剤の粒子を供給する手段に接続可能な空圧式の注入器の管と、
不連続に添加剤の粒子を前記注入器の管に収容し、該管に沿って前記粒子を動かす、空圧式の注入手段と、を有し、
前記注入管は、前記収集装置の横方向にその中に送り出す、フィルター材料のパスに横方向にその中に延びる、装置。
【手続補正２】
【補正対象書類名】特許請求の範囲
【補正対象項目名】請求項１０
【補正方法】変更
【補正の内容】
【請求項１０】
前記空圧式の注入手段は、前記添加剤の粒子を前記注入器の管を通して、前記収集装置に動かすために、前記注入器の管に運搬ガスの連続パルスを供給する手段を含む、請求項７〜９のいずれか一項に記載の装置。
【手続補正３】
【補正対象書類名】特許請求の範囲
【補正対象項目名】請求項１１
【補正方法】変更
【補正の内容】
【請求項１１】
前記空圧式の注入手段は、前記供給手段と前記注入手段との間のバルブと、前記バルブが瞬間的に開いた時に添加剤の粒子が管に入るように、前記バルブを繰り返し開いて閉じる手段と、前記注入器の管に沿って、前記入る粒子を前記収集装置に動かすための前記注入器の管を通って、運搬ガスの流れを通過させる手段と、を有する、請求項７〜９のいずれか一項に記載の装置。
【手続補正４】
【補正対象書類名】特許請求の範囲
【補正対象項目名】請求項１５
【補正方法】変更
【補正の内容】
【請求項１５】
完全にタバコの煙フィルター材料に囲まれる、添加剤の粒子の楕円体のポケットを有する、前記タバコの煙フィルター材料のロッド形状のマトリックスを有する、タバコの煙フィルター。
【手続補正５】
【補正対象書類名】特許請求の範囲
【補正対象項目名】請求項１６
【補正方法】変更
【補正の内容】
【請求項１６】
一方の端部に、他方の端部よりも近接する前記添加剤の粒子のポケットを有する、請求項１５に記載の、および/または請求項１〜１０のいずれか一項に記載の方法または装置によって得られるフィルター。
【手続補正６】
【補正対象書類名】特許請求の範囲
【補正対象項目名】請求項１８
【補正方法】変更
【補正の内容】
【請求項１８】
前記フィルターはいくつかの排出手段を有する、請求項１５〜１７のいずれか一項に記載のフィルターまたはフィルターシガレット。
【手続補正７】
【補正対象書類名】特許請求の範囲
【補正対象項目名】請求項２３
【補正方法】変更
【補正の内容】
【請求項２３】
タバコの煙フィルターロッドに沿って間隔が開いて組み込まれた添加剤の粒子の個々のポケットを有する、前記タバコの煙フィルターロッドを作る工程または機械であって、一連のタバコの煙フィルター材料は連続的に長手方向に前進されて、前記前進する材料はロッド形状に向かって収集されて、添加剤の粒子は搬送ガスの流れを使用することにより、前進して収集される材料の中に空圧式に注入され、注入された添加剤を伴う前記前進して収集される材料は、ロッド形状に形成されて保持され、前記添加剤の粒子は、連続的に添加剤を断続的に通過する手段によって、運搬ガスの流れに不連続に運ばれて、注入する個々の粒子のそれぞれの断続的な搬送時間のために、断続的に前記搬送ガスの流れが入るときに、それによって前記個々の粒子は略瞬間的に前記個々の組み込まれたポケットに対応するものを形成するために前記粒子が蓄積する前記前進して収集されるフィルター材料の中に送られる、工程又は機械。
【手続補正書】
【提出日】平成20年11月20日(2008.11.20)
【手続補正１】
【補正対象書類名】特許請求の範囲
【補正対象項目名】請求項６
【補正方法】変更
【補正の内容】
【請求項６】
前記ハンドルアッセンブリの初動時移動量は、前記軸部の前記管腔を通る前記フィラメントの直接的な移動量に変換される、請求項１に記載の括約筋切開刀。
【手続補正２】
【補正対象書類名】特許請求の範囲
【補正対象項目名】請求項７
【補正方法】変更
【補正の内容】
【請求項７】
前記ハンドルアッセンブリの初動時移動量は、前記張り調整機構により実質的に吸収される、請求項１に記載の括約筋切開刀。
【手続補正３】
【補正対象書類名】特許請求の範囲
【補正対象項目名】請求項８
【補正方法】変更
【補正の内容】
【請求項８】
前記ハンドルアッセンブリの前記初動時よりも大きい力による第２作動時移動量は、前記軸部の前記管腔を通る前記フィラメントの直接的な移動量に変換される、請求項７に記載の括約筋切開刀。
【手続補正４】
【補正対象書類名】特許請求の範囲
【補正対象項目名】請求項１１
【補正方法】変更
【補正の内容】
【請求項１１】
前記フィラメントを前記軸部の前記遠位端付近に配置されている前記切断要素として使用するために、前記フィラメントの前記遠位側部分が、前記軸部の前記近位端付近から前記軸部の外部に配置されている位置まで前記管腔を通って伸張している、請求項１に記載の括約筋切開刀。
【手続補正５】
【補正対象書類名】特許請求の範囲
【補正対象項目名】請求項１５
【補正方法】変更
【補正の内容】
【請求項１５】
近位端と遠位端を有する括約筋切開刀において、前記括約筋切開刀は、
細長い軸部と、
前記軸部への取付部を備えている第１ハンドル部分と、
前記第１ハンドル部分に対して近位方向及び遠位方向へ滑動移動させることのできるやり方で、前記第１ハンドル部分に取り付けられている第２ハンドル部分と、を備えており、前記第２ハンドル部分は、
導電性のフィラメントへの取付部を備えており、前記フィラメントは、その遠位端が前記軸部の遠位端に接続されており、前記フィラメントの一部は、前記軸部の管腔の一部を通って伸張しており、
前記第２ハンドル部分が前記第１ハンドル部分に対して近位方向に移動すると、前記フィラメントは、前記軸部の前記管腔に対して前記近位方向に引かれ、
前記第１ハンドル部分と前記第２ハンドル部分の少なくとも一方は、前記フィラメントの張力と前記軸部の圧縮力の内の少なくとも一方を調整するための張り調整機構を備えている、括約筋切開刀。
【手続補正６】
【補正対象書類名】特許請求の範囲
【補正対象項目名】請求項１９
【補正方法】変更
【補正の内容】
【請求項１９】
前記張り調整機構は、少なくとも部分的にはばねカバー内に封入されているコイルばねを備えており、
前記第１移動段階中は、前記ばねカバーは、前記第２ハンドル部分の係合面から間隔を空けて配置されており、前記第２移動段階中は、前記ばねカバーは、前記第２ハンドル部分の前記係合面に接触している、請求項１７に記載の括約筋切開刀。
【手続補正書】
【提出日】平成20年11月18日(2008.11.18)
【手続補正１】
【補正対象書類名】特許請求の範囲
【補正対象項目名】全文
【補正方法】変更
【補正の内容】
【特許請求の範囲】
【請求項１】
ポリ（エステルアミド）誘導体（Ｄ−ＰＥＡ）を含む層を含む医療デバイス上のコーティング。
【請求項２】
Ｄ−ＰＥＡが生体有益性部分を含み、
生体有益性部分が、ポリ（エチレングリコール）、ポリ（アルキレンオキシド）、ホスホリルコリン、２−メタクリロイルオキシエチルホスホリルコリン、ポリ（ビニルピロリドン）、ポリ（スチレンスルホネート）、ポリ（ヒドロキシエチルメタクリレート）、ポリ（ヒドロキシプロピルメタクリルアミド）、ポリ（ヒドロキシプロピルメタクリレート）、アルコキシメタクリレート、酸化窒素保有体、両親媒性ペプチド、治癒促進性ポリマー、ＮＯ−供与体ポリマー、ヒアルロン酸、フィブリン、アルブミン、エラスチン、デキストラン、デキストリン、多糖、ヘパリン、フラーレンおよびこれらの組合せからなる群から選択される、請求項１に記載のコーティング。
【請求項３】
生物活性剤をさらに含む、請求項１に記載のコーティング。
【請求項４】
生物活性剤が、パクリタキセル、ドセタキセル、エストラジオール、酸化窒素供与体、スーパーオキシドジスムターゼ、スーパーオキシドジスムターゼ模倣体、４−アミノ−２，２，６，６−テトラメチルピペリジン−１−オキシル（４−アミノ−ＴＥＭＰＯ）、タクロリムス、デキサメタゾン、ラパマイシン、ラパマイシン誘導体、４０−Ｏ−（２−ヒドロキシ）エチル−ラパマイシン（エベロリムス）、４０−Ｏ−（３−ヒドロキシ）プロピル−ラパマイシン、４０−Ｏ−［２−（２−ヒドロキシ）エトキシ］エチル−ラパマイシンおよび４０−Ｏ−テトラゾール−ラパマイシン、ＡＢＴ−５７８、クロベタゾール、抗体を捕捉する前駆細胞、治癒促進薬、これらのプロドラッグ、これらのコドラッグ、ならびにこれらの組合せからなる群から選択される、請求項３に記載のコーティング。
【請求項５】
Ｄ−ＰＥＡ層が薬物マトリックスの上部にコートされる、請求項１に記載のコーティング。
【請求項６】
薬物マトリックスが、生体適合性で生分解性のポリマーを含む、請求項５に記載のコーティング。
【請求項７】
薬物マトリックスが、生体適合性で非分解性のポリマーを含む、請求項５に記載のコーティング。
【請求項８】
薬物マトリックスがＤ−ＰＥＡを含む、請求項５に記載のコーティング。
【請求項９】
ＰｏｌｙＡｃｔｉｖｅ（商標）をさらに含む、請求項１に記載のコーティング。
【請求項１０】
トップコートとしてコートされるＰｏｌｙＡｃｔｉｖｅ（商標）層をさらに含む、請求項１に記載のコーティング。
【請求項１１】
生体適合性ポリマーが、ポリ（エステルアミド）、ポリ（オルトエステル）、ポリ（無水物）、ポリ（Ｄ，Ｌ−乳酸）、ポリ（Ｌ−乳酸）、ポリ（グリコール酸）、ポリ（乳酸）とグリコール酸とのコポリマー、ポリ（Ｌ−ラクチド）、ポリ（Ｄ，Ｌ−ラクチド）、ポリ（Ｌ−ラクチド−ｃｏ−Ｄ，Ｌ−ラクチド）、ポリ（Ｌ−ラクチド−ｃｏ−グリコリド）、ポリ（Ｄ，Ｌ−ラクチド−ｃｏ−グリコリド）、ポリ（ホスホエステル）、ポリ（トリメチレンカーボネート）、ポリ（オキサエステル）、ポリ（オキサアミド）、ポリ（エチレンカーボネート）、ポリ（プロピレンカーボネート）、ポリ（ホスホエステル）、ポリ（ホスファゼン）、ポリ（チロシン誘導カーボネート）、ポリ（チロシン誘導アリーレート）、ポリ（チロシン誘導イミノカーボネート）、これらとポリ（エチレングリコール）とのコポリマーおよびこれらの組合せからなる群から選択される、請求項６に記載のコーティング。
【請求項１２】
医療デバイスがステントである、請求項１又は５に記載のコーティング。
【請求項１３】
医療デバイスが、チャネル、細孔、穿孔および／またはデポーを有する金属ステントである、請求項１又は５に記載のコーティング。
【請求項１４】
医療デバイスが、マグネシウム、ステンレス鋼、コバルト−クロム合金またはニチノールを含む材料で形成される金属ステントである、請求項１又は５に記載のコーティング。
【請求項１５】
ポリ（エステルアミド）誘導体（Ｄ−ＰＥＡ）を含む材料で形成される医療デバイス。
【請求項１６】
Ｄ−ＰＥＡがデバイスのためのコーティング層に含まれる、請求項１５に記載の医療デバイス。
【請求項１７】
Ｄ−ＰＥＡが生体有益性材料から得られる部分を含む、請求項１５に記載の医療デバイス。
【請求項１８】
生物活性剤をさらに含む、請求項１５に記載の医療デバイス。
【請求項１９】
ステントである、請求項１５に記載の医療デバイス。
【手続補正書】
【提出日】平成20年11月26日(2008.11.26)
【手続補正１】
【補正対象書類名】特許請求の範囲
【補正対象項目名】全文
【補正方法】変更
【補正の内容】
【特許請求の範囲】
【請求項１】
知識構造のテンプレートを規定すること、
中心線の抽出を実行すること、
楕円マッピングを実行すること、
テンプレートマッピングを実行すること、
の工程を有することを特徴とする知識構造のマッピングを使用した管状器官を測定する方法。
【請求項２】
測定を編集すること、
その測定を確認すること、
の工程をさらに有することを特徴とする請求項１記載の方法。
【請求項３】
前記中心線の抽出が、
境界点を分類すること、
処理のためにその境界点を保存すること、
単純境界点のために、前記境界点を調査すること、
細線化操作を実行すること、
所定の管状器官を追跡すること、
の工程を有することを特徴とする請求項１記載の方法。
【請求項４】
前記境界点を分類することが、ボクセルが背景の中に近接点を有するか否かを決定することの工程をさらに有することを特徴とする請求項３記載の方法。
【請求項５】
前記単純境界点のための調査することが、
ボクセル点を取り除くのに安全か否かを決定すること、
前記ボクセル点を取り除いた後、該ボクセル点のオイラーの特徴が同等であるか否かを決定すること、
非背景のボクセル点の近接点が経路により接続されているか否かを決定すること、
の工程をさらに有することを特徴とする請求項３記載の方法。
【請求項６】
前記中心線の平滑化を行うことの工程をさらに有し、
前記中心線の平滑化が、
ガウスの平滑化と、
前記中心線上の特徴点を検出すること、
抽出された前記特徴点に基づいて、中心線をパラメータで表すために区分的Ｂスプライン合わせを実行すること、
前記中心線上の前記特徴点をタイプごとに分類すること、
節点の第１のタイプに低域フィルタを付加すること、
前記中心線に沿った点の第１のタイプと第２タイプの位置を調節すること、
の中の一つあるいはそれ以上の工程を有することを特徴とする請求項１記載の方法。
【請求項７】
前記楕円マッピングが、
区分容積に基づく画像面を引き出すこと、
前記区分容積の各画像面のエッジ検出を用いる種ベース区域成長技術を利用すること、
前記楕円の長軸、短軸、原点を見つけるため区域点上の原理部品の分析を適用すること、
前記長軸、前記短軸に沿った直径を測定すること、
の工程を有することを特徴とする請求項１記載の方法。
【請求項８】
前記テンプレートマッピングが、
基部の移殖サイトでの直径を測定すること、
基部の移殖サイトの下位の直径１５ｍｍを測定すること、
大動脈の分岐点での直径を測定すること、
基部の移殖サイトの下位の直径１５ｍｍの点から前記大動脈の分岐点に向かって為される、動脈瘤本体の最大直径の測定をすること、
左右の外側の腸骨動脈の端部の直径を測定すること、
前記大動脈の分岐点の下位であり前記腸骨動脈の端部の上位である左右の前記腸骨動脈の最小直径を測定すること、
より低い腎動脈から前記大動脈の分岐点への前記中心線に沿う長さを測定すること、
より低い腎動脈から左右の腸骨動脈の端部への長さを測定すること、
基部の頚部角度を測定すること、
左右の腸骨動脈を測定すること、
の工程を有することを特徴とする請求項１記載の方法。
【請求項９】
前記大動脈の分岐点が自動的に検出されることを特徴とする請求項８記載の方法。
【請求項１０】
前記知識構造テンプレートにおけるすべての測定条件が満たされているか否中か検証すること、
ステントデータベースから最も適合するステントを決定すること、
の工程をさらに有することを特徴とする請求項８記載の方法。
【請求項１１】
前記測定を編集することが、
中心線に沿って直径の測定を移動すること、
自動的に楕円を再マッピングすること、
楕円の直径の寸法と形状とを変化させること、
前記中心線周りに楕円の直径を回転させること、
楕円の長さの測定を編集すること、
角度の測定を編集すること、
の中の一つあるいはそれ以上の工程を有することを特徴とする請求項１記載の方法。
【請求項１２】
前記測定を確認することが、
フリーハンドにより確認すること、
断面表示により案内されて確認すること、
フライスルーにより案内されて確認すること、
の中の一つあるいはそれ以上の工程をさらに有することを特徴とする請求項１記載の方法。
【請求項１３】
器官の解剖組織上の記号を備える知識構造のテンプレートを規定すること、
主要記号の特徴の抽出を実行すること、
幾何学構造のマッピングを実行すること、
テンプレートマッピングを実行すること、
の工程を有することを特徴とする器官データに規定された知識構造をマッピングする方法。
【請求項１４】
前記器官が、管状構造であることを特徴とする請求項１３記載の方法。
【請求項１５】
前記主要記号の特徴が、一つ以上の管状構造の中心線を備えることを特徴とする請求項１４記載の方法。
【請求項１６】
前記幾何学構造が、前記一つ以上の管状構造の内側あるいは外側管腔の断面に対応する楕円構造であることを特徴とする請求項１４記載の方法。
【請求項１７】
前記器官が、心臓であることを特徴とする請求項１３記載の方法。
【請求項１８】
前記主要記号の特徴が、左右の心室の静脈および動脈の幾何学的で、空間的な変数を含んでいることを特徴とする請求項１７記載の方法。
【請求項１９】
前記主要記号が、静脈および動脈の中心線を含んでいることを特徴とする請求項１８記載の方法。
【手続補正書】
【提出日】平成20年11月19日(2008.11.19)
【手続補正１】
【補正対象書類名】特許請求の範囲
【補正対象項目名】請求項２８
【補正方法】変更
【補正の内容】
【請求項２８】
ネットワークは局所ネットワークであることを特徴とする請求項２７に記載の方法。
【手続補正２】
【補正対象書類名】特許請求の範囲
【補正対象項目名】請求項２９
【補正方法】変更
【補正の内容】
【請求項２９】
ネットワークは広域ネットワークであることを特徴とする請求項２７に記載の方法。
【手続補正３】
【補正対象書類名】特許請求の範囲
【補正対象項目名】請求項３０
【補正方法】変更
【補正の内容】
【請求項３０】
ネットワークはＰＡＣＳネットワークであることを特徴とする請求項２７に記載の方法。
【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
長手方向軸線を備えた固定組立体において、前記固定組立体は、
上面および下面を有し、かつ、ファスナを受入れるように構成された少なくとも１つのファスナ孔を有する第一プレートを備え、前記ファスナ孔は、前記上面から前記下面を貫通して延びており、さらに、前記第一プレートは、複数列の歯と、前記第一プレートの前記下面に設けられた傾斜面とを有しており、
さらに、前記固定組立体は、第二プレートを備え、前記第二プレートは、上面および下面を有し、かつ、ファスナを受入れるように構成された少なくとも１つのファスナ孔と、前記下面に設けられた弾性固定要素とを有しており、前記弾性固定要素は、タブと、係合隆起部とを有しており、前記タブと前記係合隆起部は、前記第一プレートと前記第二プレートを一体に連結するように、前記歯と係合可能であり、
前記第二プレートは、前記第一プレートに対して長手方向軸線に沿って移動できるように構成され、
前記弾性固定要素と連続した歯の列とを係合させるのに必要な押圧力は、前記第二プレートが長手方向軸線に沿って移動するにつれて増大するように構成される、
ことを特徴とする固定組立体。
【請求項２】
前記組立体は単方向性であることを特徴とする請求項１記載の固定組立体。
【請求項３】
前記組立体は、手術現場で直線移動させることができることを特徴とする請求項１記載の固定組立体。
【請求項４】
前記組立体は、少なくとも１つのファスナが、前記第一プレートおよび前記第二プレートの少なくとも１つのファスナ孔内に受入れられた後に直線移動させることができるように構成され、前記ファスナは骨セグメント内に更に挿入されるように構成されることを特徴とする請求項１記載の固定組立体。
【請求項５】
前記第一プレートのファスナ孔内に挿入される第一ファスナと、前記第二プレートのファスナ孔内に挿入される第二ファスナとを更に有することを特徴とする請求項１記載の固定組立体。
【請求項６】
前記第一ファスナは第一骨セグメント内に挿入されるように構成され、前記第二ファスナは第二骨セグメント内に挿入されるように構成されることを特徴とする請求項５記載の固定組立体。
【請求項７】
前記第一骨セグメントおよび前記第二骨セグメントは、隣接した椎骨であることを特徴とする請求項６記載の固定組立体。
【請求項８】
第三プレートを更に有することを特徴とする請求項１記載の固定組立体。
【請求項９】
第一列の歯が第一高さを有し、第二列の歯が第二高さを有し、前記第二高さは前記第一高さより大きいことを特徴とする請求項１記載の固定組立体。
【請求項１０】
前記第一プレートは少なくとも３列の歯を有していることを特徴とする請求項１記載の固定組立体。
【請求項１１】
弾性固定要素を第二列の歯と係合させるのに要する軸線方向の力は、前記弾性固定要素を第三列の歯と係合させるのに要する軸線方向力より小さいように構成されることを特徴とする請求項１０記載の固定組立体。
【請求項１２】
少なくとも１つのファスナが骨スクリュウであることを特徴とする請求項１記載の固定組立体。
【請求項１３】
少なくとも１つの骨スクリュウがセルフドリリングスクリュウであることを特徴とする請求項１２記載の固定組立体。
【請求項１４】
少なくとも１つの骨スクリュウがセルフタッピングスクリュウであることを特徴とする請求項１２記載の固定組立体。
【請求項１５】
少なくとも１つの骨スクリュウがファスナ孔内でトグル（toggle）で取り付けることができることを特徴とする請求項１２記載の固定組立体。
【請求項１６】
前記第一プレートおよび前記第二プレートの各々が、窓を有していることを特徴とする請求項１記載の固定組立体。
【手続補正書】
【提出日】平成20年12月1日(2008.12.1)
【手続補正１】
【補正対象書類名】特許請求の範囲
【補正対象項目名】全文
【補正方法】変更
【補正の内容】
【特許請求の範囲】
【請求項１】
患者の体内の組織壁を通り所望の位置にアクセスするためのシステムであって、
近位と遠位の固定カテーテル管腔開口部の間で延びる固定カテーテル管腔、前記遠位の固定カテーテル管腔開口部を閉鎖する貫通可能なシール、及び遠位の組織固定機構を有する細長い固定カテーテルと、
前記組織壁に対して、前記細長い固定カテーテルを係合させ、またガイドカテーテルの遠位端を操縦するように適合された細長い操縦可能な固定器具であり、前記遠位の固定機構を前記組織壁中に延ばして前記組織壁に係合させ、安定化させる細長い操縦可能な固定器具と、
前記固定カテーテル管腔を通し、前記貫通可能なシールを通し、前記組織壁を通して送られる寸法であり、かつ適合された組織貫通要素を有する細長い貫通器具であり、それにより、前記組織壁を通り前記所望の位置に入るようにする穿孔を作成する細長い貫通器具と、を備えるシステム。
【手続補正書】
【提出日】平成20年12月2日(2008.12.2)
【手続補正１】
【補正対象書類名】特許請求の範囲
【補正対象項目名】全文
【補正方法】変更
【補正の内容】
【特許請求の範囲】
【請求項１】
体内に埋込可能は医療デバイス（ＩＭＤ）によって実行される指定された１つまたは複数機能の実施を調整する方法であって、
体内に埋め込まれた調整デバイスから、スケジュールされた時間を指定する時間間隔データを受信するステップと、
少なくとも一部が前記時間間隔データに基づいて前記ＩＭＤ内でタイマーを設定するステップと、
前記スケジュールされた時間が経過する間、前記ＩＭＤ内のタイミング回路のみを停電力状態で作動させ、待機するステップと、
前記スケジュールされた時間の経過を検出するステップと、
前記時間の経過の検出に応答して、前記ＩＭＤ内のタイミング回路を作動させ、体内に埋め込まれた前記調整デバイスからの起動命令をサーチするステップと、
前記起動命令を受信するステップと、
前記起動命令の受信に応答して、前記１つまたは複数の指定された機能を遂行するステップと、
前記低電力状態に戻るステップと
から構成されることを特徴とする方法。
【請求項２】
前記調整デバイスに前記ＩＭＤを識別する信号を送信するステップをさらに有することを特徴とする請求項１に記載の方法。
【請求項３】
前記起動命令を受信するステップは、オン・オフ・シフトキーイングで変調された搬送波信号を受信するステップを有することを特徴とする請求項１に記載の方法。
【請求項４】
前記起動命令を受信するステップは、超音波信号を受信するステップを有することを特徴とする請求項１に記載の方法。
【請求項５】
前記スケジュールされた時間はルックアップテーブルから取り出されることを特徴とする請求項１に記載の方法。
【請求項６】
前記１つまたは複数の指定された機能のうちの少なくとも１つは、生理学的パラメータを測定することを含むことを特徴とする請求項１に記載の方法。
【請求項７】
前記調整デバイスから時間補正データを受信するステップと、
前記時間補正データに基づいてタイマーを設定するステップと、
をさらに有することを特徴とする請求項１に記載の方法。
【請求項８】
前記タイマーを設定するステップは、発振器の周波数を調節するステップ、発振器の分周器を調節するステップ、またはレジスタ内の計数値を設定するステップを有することを特徴とする請求項７に記載の方法。
【請求項９】
前記ＩＭＤのネットワークを形成する複数のＩＭＤのそれぞれに関連づけられた起動時間を決定するステップと、
複数の起動時間から選択された１つの時間に先行して選択された時間に起動信号を送信するステップと、
前記選択された起動時間に関連付けられた前記ＩＭＤから生理学的データを受信するステップと、
をさらに有し、
前記起動信号により、前記選択された起動時間に関連づけられた前記ＩＭＤは、前記生理学的データを生成することを特徴とする請求項１記載の方法。
【請求項１０】
体内に埋め込まれた１つまたは複数の埋込可能な医学デバイス（ＩＭＤ）のネットワーク内のＩＭＤ間の通信を調整するためのシステムであって、
時間を追跡するように構成されたタイミング部品を有するサテライトＩＭＤと、
体内に埋込可能であり、前記サテライトＩＭＤを識別する信号を受信して、前記サテライトＩＭＤを識別する前記信号に基づいて起動時間を調整するように動作可能である主ユニットと
を備え、
前記サテライトＩＭＤは複数の電力状態の間で変更を行い、起動命令をサーチし、前記サテライトＩＭＤを識別する信号を送信するように動作可能であり、
前記起動時間は前記サテライトＩＭＤが前記起動命令をサーチするべき時間を指定することを特徴とするシステム。
【請求項１１】
前記主ユニットは、前記タイミング部品に関連するタイミング・パラメータを調節するために前記サテライトＩＭＤによって使用可能な補正因子を決定するように更に動作可能であることを特徴とする請求項１０に記載のシステム。
【請求項１２】
前記複数の電力状態が以下、すなわち
前記タイミング部品以外の前記サテライトＩＭＤのすべての部品が電源を遮断される休止状態、
前記サテライトＩＭＤが前記起動命令をサーチするサーチ状態、
前記サテライトＩＭＤが指定の機能を遂行する完全活性化状態
のうちの１つまたは複数を有することを特徴とする請求項１０に記載のシステム。
【請求項１３】
前記サテライトＩＭＤは、
治療機能と感知機能のうちの１つまたは複数を含む指定された機能を遂行し、
前記指定された機能の前記遂行から生じるデータを、前記主ユニットに連絡するように更に動作可能であることを特徴とする請求項１０に記載のシステム。
【手続補正書】
【提出日】平成20年11月10日(2008.11.10)
【手続補正１】
【補正対象書類名】特許請求の範囲
【補正対象項目名】全文
【補正方法】変更
【補正の内容】
【特許請求の範囲】
【請求項１】
流体の流通可能なルーメンを有し、第１ルアー部材と、該第１ルアー部材の周囲を囲んで設けられた第１環状部材とを具える第１コネクター部材と、
流体の流通可能なルーメンを有し、第２ルアー部材と、該第２ルアー部材の周囲を囲んで設けられた第２環状部材とを具える第２コネクター部材と、
第１コネクター部材又は第２コネクター部材の一方の部材のルーメンに配備され、コネクターを通る流体の流れを１つの方向に制限するチェック弁と、を具えており、
第１コネクター部材と第２コネクター部材を着脱可能に接続して固定するために、第１環状部材と第２環状部材は、動作可能な状態で係合し、第１ルアー部材と第２ルアー部材の係合により、第１コネクター部材と第２コネクター部材との間で流体の流通が可能である、医療用コネクター。
【請求項２】
第１環状部材と第２環状部材は、一方に内ネジが形成され、他方に外ネジが形成されており、第１環状部材と第２環状部材が螺合することにより、第１コネクター部材と第２コネクター部材は着脱可能に接続されて固定される請求項１の医療用コネクター。
【請求項３】
第１ルアー部材と第２ルアー部材は、一方が雄型ルアーとして形成され、他方が雌型ルアーとして形成される請求項１の医療用コネクター。
【請求項４】
チェック弁は、コネクターを通る流体の流れを１つの方向に制限するためのストッパー要素を具え、該ストッパー要素は、第１コネクター部材又は第２コネクター部材の一方の部材のルーメンに配備されている請求項１の医療用コネクター。
【請求項５】
ストッパー要素は、ルーメン内に十分な流体圧力が存在するまで、ルーメンの内肩部に当接して流体の流れを停止させ、ルーメン内に十分な流体圧力が存在すると、内肩部との接触が解除される請求項４の医療用コネクター。
【請求項６】
ルーメンは、ストッパー要素を収容する受入キャビティを画定し、該受入キャビティの壁に、流体が流れる溝が形成されており、ルーメン内に十分な流体圧力が存在すると、ストッパー要素は内肩部との接触が解除される請求項４の医療用コネクター。
【請求項７】
内肩部の少なくとも一部は、ルーメンに挿入された保持スリーブによって画定される請求項５の医療用コネクター。
【請求項８】
ストッパー要素は、弾性変形可能な材料から形成され、ルーメン内に十分な流体圧力が存在すると、ストッパー要素は少なくとも軸方向に変形可能である請求項４の医療用コネクター。
【請求項９】
第１環状部材又は第２環状部材は、回転可能である請求項１の医療用コネクター。
【請求項１０】
第１ルアー部材は第１環状部材に対して陥凹し、第２ルアー部材は第２環状部材に対して陥凹している請求項１の医療用コネクター。
【請求項１１】
流体送給システムに用いられる流体通路であって、
第１セクションと、
第１セクションと着脱可能に接続可能な第２セクションと、
第１セクションと第２セクションとを着脱可能に接続する、請求項１乃至１０の何れかに記載された少なくとも１つの医療用コネクターと、を具えている、流体通路。
【請求項１２】
注入用流体の流体源と、
ポンプ装置と、
請求項１乃至１０の何れかに記載された少なくとも１つの医療用コネクターを有し、注入用流体源とポンプ装置とを接続する流体通路と、を具える流体送給システム。
【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
生体適合性のある金属を備えた後方表面と、
第一角膜層に近接して位置するように構成された前方表面とを備えた患者の目の焦点深さを改善するように構成されたマスク。
【請求項２】
前記マスクが、前記後方表面を備えた後方層を備え、更に美容層を備える請求項１に記載のマスク。
【請求項３】
前記美容層は非反射層である請求項２に記載のマスク。
【請求項４】
前記美容層は前記マスクの見た目を暗くする請求項２または請求項３のいずれかに記載のマスク。
【請求項５】
前記生体適合性のある金属は貴金属であり、前記美容層は炭素層を備えた請求項２から請求項４のいずれか一項に記載のマスク。
【請求項６】
前記生体適合性のある金属はチタン合金を含む請求項１から請求項５のいずれか一項に記載のマスク。
【請求項７】
前記チタン合金は超弾性特性を示す請求項６に記載のマスク。
【請求項８】
前記チタン合金はニチノールである請求項６に記載のマスク。
【請求項９】
前記美容層は前記チタン合金と化学反応しない物質から形成されている請求項６に記載のマスク。
【請求項１０】
前記美容層は酸化チタンを含む請求項２から請求項９のいずれか一項に記載のマスク。
【請求項１１】
前記美容層は炭化ケイ素を含む請求項２から請求項１０のいずれか一項に記載のマスク。
【請求項１２】
前記後方層は金を含む請求項２から請求項１０のいずれか一項に記載のマスク。
【請求項１３】
前記後方層はパラジウムを含む請求項２から請求項１１のいずれか一項に記載のマスク。
【請求項１４】
前記後方層はプラチナを含む請求項２から請求項１１のいずれか一項に記載のマスク。
【請求項１５】
前記後方層はタンタルを含む請求項２から請求項１２のいずれか一項に記載のマスク。
【請求項１６】
前記後方層はチタンを含む請求項２から請求項１３のいずれか一項に記載のマスク。
【請求項１７】
患者の目の焦点深さを改善するように構成されたピンホール状開口部を更に備えた請求項１から請求項１６のいずれか一項に記載のマスク。
【請求項１８】
該マスクを貫通して形成された複数の栄養輸送構造を更に備えた請求項１から請求項１７のいずれか一項に記載のマスク。
【請求項１９】
前記複数の栄養輸送構造が非一様に配置されている請求項１８に記載のマスク。
【請求項２０】
前記マスクが複数の層を備え、複数の栄養輸送構造のそれぞれが該複数の層を貫通する複数のずらさせたホール部を備える請求項２から請求項１９のいずれか一項に記載のマスク。
【請求項２１】
前記マスクが環状構造を有し、前記栄養輸送構造が該環状構造の中心部に集められている請求項２０に記載のマスク。
【請求項２２】
前記美容層が、外部から目に見える患者の目の特徴と同様の見た目を有する請求項２から請求項２１のいずれか一項に記載のマスク。
【請求項２３】
患者の目の焦点深さを改善するように構成されたマスクの製造方法であり、
基板を提供する段階と、
前記基板上に、患者の目の中に埋め込まれるように構成されたマスク層を形成する段階と、
前記基板から前記マスク層を分離する段階とを備えた製造方法。
【請求項２４】
前記マスク層が環状である請求項２３に記載の製造方法。
【請求項２５】
前記マスク層が生体適合性のある金属から形成される請求項２３または請求項２４のいずれかに記載の製造方法。
【請求項２６】
前記マスク層が所望の形状をとるために該マスク層を造形用部材に固定することと、
前記マスク層が前記所望の形状を維持するために該マスク層を加熱処理することとによって、
前記基板から前記マスク層を分離した後に該マスク層に曲率を与える段階を更に備えた請求項２３から請求項２５のいずれか一項に記載の製造方法。
【請求項２７】
前記マスクに、該マスクを介して人間の目に栄養を輸送する輸送構造を形成する段階を更に備えた請求項２３から請求項２６のいずれか一項に記載の製造方法。
【請求項２８】
輸送構造を形成する段階が、
前記基板上に、貫通する第一の複数のホールを有する第一層を形成することと、
前記第一層上に、前記第一の複数のホールの一つにそれぞれ対応した、貫通する第二の複数のホールを有する第二層を形成することとを備え、
前記第二の複数のホールのそれぞれが、対応する一つの前記第一の複数のホールに対して少なくとも部分的にずらされていて、かつ、少なくとも部分的に重畳している請求項２３〜２７のいずれか一項に記載の製造方法。
【手続補正書】
【提出日】平成20年12月1日(2008.12.1)
【手続補正１】
【補正対象書類名】特許請求の範囲
【補正対象項目名】全文
【補正方法】変更
【補正の内容】
【特許請求の範囲】
【請求項１】
手を乾燥させる実質的に滅菌された状態の加熱空気の流れを生じさせるようになった滅菌型手乾燥装置であって、
ハウジングと、
前記ハウジング内に設けられていて、手を乾燥させるために使用できる空気を加熱する加熱手段と、
使用の際に空気を前記ハウジングに導入させて前記加熱手段に達するよう移動させる入口手段と、
使用の際に前記加熱手段により加熱された後に空気を手を乾燥させるために使用できる加熱空気として放出させる出口手段と、
空気を空気流として前記入口手段から前記加熱手段を介して前記出口手段に迅速に移動させるようになった空気流発生手段とを有し、
前記装置は、電力を前記装置に供給する電気制御回路を備え、
前記電気制御回路は、前記ハウジングを開いたときにユーザが感電死する恐れを最小限に抑えるために前記ハウジングを開いたときに電力の供給を不能にするカットオフ機構体を備えている装置。
【請求項２】
前記カットオフ機構体は、第１の状態にあるときにのみ、電力供給を可能にする二状態スイッチを有し、前記ハウジングを閉じたときに、前記スイッチを第１の状態に維持するアクチュエータが、前記ハウジング内に設けられ、前記アクチュエータは、前記ハウジングを開いたときに前記スイッチを第２の状態に作動させ、それにより、前記ハウジングが開かれたときに、前記装置への電力供給を不能にする請求項１記載の装置。
【請求項３】
前記カットオフ機構体は、押し下げられたときにのみ、電力供給を可能にする弾性取り付けスイッチを有し、カットオフ機構体のアクチベータが、前記ハウジング内に設けられ、前記カットオフ機構体アクチベータは、前記ハウジングを閉じたときに、前記スイッチを押し下げ、前記ハウジングを開いたときに前記スイッチを持ち上げてオフにし、それにより、前記ハウジングを開いたときに、前記装置への電力供給を不能にするよう構成されている請求項１記載の装置。
【請求項４】
前記弾性取り付けスイッチは、前記ハウジングのフードが着脱自在に取り付け可能なベースマウントに取り付けられ、前記カットオフ機構体アクチベータは、前記フードの内面に取り付けられている請求項３記載の装置。
【請求項５】
前記カットオフ機構体アクチベータは、前記ハウジングのフードが着脱自在に取り付け可能なベースマウントに取り付けられ、前記弾性取り付けスイッチは、前記フードの内面に取り付けられている請求項３記載の装置。
【請求項６】
前記カットオフ機構体アクチベータは、前記カットオフ機構体と接触状態にあるときに前記カットオフ機構体を作動させるデプレッサ（depressor ）の形態をしている請求項４又は５記載の装置。
【請求項７】
前記ベースマウントは、直立取り付け面に締結されるようになっており、前記手乾燥装置は、前記ハウジングの前記ベースマウントに取り付けることにより前記直立取り付け面上に設置できるようになっている請求項４又は５記載の装置。
【請求項８】
滅菌型手乾燥装置のハウジングのフードが着脱自在に取り付けられるようになったベースプレートであって、
前記手乾燥装置は、電力を前記装置に供給する電気制御回路を備え、
前記ベースプレートは、使用の際に、前記フードが前記ベースプレートに取り付けられた状態で、前記ハウジングが開かれると、前記電気制御回路への電力供給を不能にして前記ハウジングを開いたときにユーザが感電死する恐れを最小限に抑えるためのカットオフ機構体を備えているベースプレート。
【請求項９】
前記滅菌型手乾燥装置は請求項１乃至７の何れか１項記載のものである請求項８記載のベースプレート。
【請求項１０】
手を乾燥させるための実質的に滅菌状態の加熱空気の流れを生じさせるようになった滅菌型手乾燥装置であって、
ハウジングと、
前記ハウジング内に設けられていて、手を乾燥させるために使用できる空気を加熱する加熱手段と、
使用の際に空気を前記ハウジングに導入させて前記加熱手段に達するよう移動させる入口手段と、
使用の際に前記加熱手段により加熱された後に空気を手を乾燥させるために使用できる加熱空気として放出させる出口手段と、
空気を空気流として前記入口手段から前記加熱手段を介して前記出口手段に迅速に移動させるようになった空気流発生手段と、
前記空気流を濾過するようになったフィルタ材料とを有し、
前記装置は、使用中、前記フィルタ材料を交換用フィルタ材料と自動的に交換することができるフィルタ交換機構体を有する装置。
【請求項１１】
前記フィルタ交換機構体は、使用中、前記フィルタ材料を或る期間後、定期的に交換用フィルタ材料と交換する請求項１０記載の装置。
【請求項１２】
前記フィルタ交換機構体は、使用中、前記フィルタ材料を連続的に又は間欠的に徐々に交換用フィルタ材料と交換する請求項１０記載の装置。
【請求項１３】
前記フィルタ材料は、シート状ストリップの形態をしている請求項１２記載の装置。
【請求項１４】
前記フィルタ材料は、電動式リール機構体によって運搬される請求項１３記載の装置。
【請求項１５】
前記フィルタ材料は、使用中、前記空気流を通す細菌捕捉フィルタ手段を含み、
前記細菌捕捉フィルタ手段は、使用の際に、空気流中の細菌の大部分を捕捉して保持するようになっており、前記細菌捕捉フィルタ手段から出る空気流は前記細菌捕捉フィルタ手段に入ったときよりも滅菌度が高いものであるようになっている請求項１０乃至１４の何れか１項記載の装置。
【請求項１６】
滅菌型手乾燥装置のフィルタ材料を交換する自動フィルタ交換機構体であって、前記フィルタ交換機構体は、請求項１１乃至１５の何れか１項記載のフィルタ交換機構体である自動フィルタ交換機構体。
【請求項１７】
手を乾燥させる実質的に滅菌された状態の加熱空気の流れを生じさせるようになった滅菌型手乾燥装置。
【手続補正書】
【提出日】平成20年11月17日(2008.11.17)
【手続補正１】
【補正対象書類名】特許請求の範囲
【補正対象項目名】全文
【補正方法】変更
【補正の内容】
【特許請求の範囲】
【請求項１】
外科用シーリング器具であって、
体腔への開口をシールするための第１シーリング弁であって、第１のシーリング部材及び第２のシーリング部材からなり、前記シーリング部材が少なくとも部分的に互いに重なる、前記開口をシールするための閉位置と、物体が前記第１シーリング弁を通して前記体腔にアクセスするのを容易にするための開位置との間で、前記シーリング部材が相対移動可能な第１シーリング弁と、
前記物体が前記第１シーリング弁を通るのを容易にするべく、少なくとも一方の前記シーリング部材を少なくとも部分的に支持するための少なくとも１つの支持要素とを有することを特徴とする外科用シーリング器具。
【請求項２】
前記支持要素が、前記シーリング部材を少なくとも部分的に支持して、前記シーリング部材が前記閉位置から前記開位置へと相対的に移動するのを容易にするように構成されていることを特徴とする請求項１に記載の器具。
【請求項３】
前記支持要素が、前記シーリング部材の少なくとも一部の変形を最小にするように構成されていることを特徴とする請求項１又は２に記載の器具。
【請求項４】
前記シーリング部材が平坦であることを特徴とする請求項１乃至３の何れかに記載の器具。
【請求項５】
前記支持要素が、前記シーリング部材の面に対して垂直な方向への前記シーリング部材の少なくとも一部分の変形を最小にするように構成されていることを特徴とする請求項４に記載の器具。
【請求項６】
前記支持要素が平坦であることを特徴とする請求項１乃至５の何れかに記載の器具。
【請求項７】
前記シーリング部材が互いに固着されており、前記各シーリング部材が、他の前記シーリング部材に取り付けられる第１領域と、前記他のシーリング部材から分離されたままの第２領域とを有することを特徴とする請求項１乃至６の何れかに記載の器具。
【請求項８】
前記支持要素が、前記シーリング部材の前記第２領域の変形を最小にするように構成されていることを特徴とする請求項７に記載の器具。
【請求項９】
前記支持要素が、前記シーリング部材の少なくとも一部分の硬さを高める補強要素を有することを特徴とする請求項３乃至８の何れかに記載の器具。
【請求項１０】
前記支持要素が、前記シーリング部材に取り付けられていることを特徴とする請求項１乃至９の何れかに記載の器具。
【請求項１１】
前記支持要素が、前記シーリング部材の外面に取り付けられていることを特徴とする請求項１０に記載の器具。
【請求項１２】
前記支持要素が、前記シーリング部材に埋め込まれていることを特徴とする請求項１０に記載の器具。
【請求項１３】
前記シーリング部材の少なくとも一方が、少なくとも部分的にゲル状エラストマ材料からなることを特徴とする請求項１乃至１２の何れかに記載の器具。
【請求項１４】
前記第１シーリング弁が、前記閉位置に付勢されていることを特徴とする請求項１乃至１３の何れかに記載の器具。
【請求項１５】
前記第１のシーリング部材と前記第２のシーリング部材とによって、前記閉位置において互いに重なる重なり部分が画定されることを特徴とする請求項１乃至１４の何れかに記載の器具。
【請求項１６】
前記第１シーリング部材が前記第２シーリング部材に重なる間に薄いスリットが画定されることを特徴とする請求項１乃至１５の何れかに記載の器具。
【請求項１７】
前記第１シーリング部材が前記第２シーリング部材に固着されていることを特徴とする請求項１乃至１６に記載の器具。
【請求項１８】
前記第１シーリング弁が、体腔の外部で、前記体腔への開口から近位側に配置されるように構成されていることを特徴とする請求項１乃至１７の何れかに記載の器具。
【請求項１９】
前記第１シーリング弁が、体腔の内部で、前記体腔への開口から遠位側に配置されるように構成されていることを特徴とする請求項１乃至１７の何れかに記載の器具。
【請求項２０】
前記器具が、体腔への開口の中に通す物体の周囲をシールするための第２シーリング弁を有することを特徴とする請求項１乃至１９の何れかに記載の器具。
【請求項２１】
前記第１シーリング弁が、前記第２シーリング弁の遠位側に配置されていることを特徴とする請求項２０に記載の器具。
【請求項２２】
前記第１シーリング弁が、前記第２シーリング弁の近位側に配置されていることを特徴とする請求項２０に記載の器具。
【請求項２３】
前記第１シーリング弁が、前記第２シーリング弁から長手方向に離隔されていることを特徴とする請求項２０乃至２２の何れかに記載の器具。
【請求項２４】
前記第１シーリング弁が、前記第２シーリング弁に隣接して直近に配置されていることを特徴とする請求項２０乃至２２の何れかに記載の器具。
【請求項２５】
前記第２シーリング部材が前記第２シーリング弁を提供することを特徴とする請求項２０乃至２４の何れかに記載の器具。
【請求項２６】
前記第２シーリング弁がリップシール弁からなることを特徴とする請求項２０乃至２５の何れかに記載の器具。
【請求項２７】
レトラクタ器具に取り付け可能であることを特徴とする請求項１乃至２６の何れかに記載の器具。
【請求項２８】
前記第１シーリング部材が、前記閉位置と前記開位置の間で前記第２シーリング部材に関してヒンジ動作可能であることを特徴とする請求項１乃至２７の何れかに記載の器具。
【請求項２９】
前記第１シーリング部材が、少なくとも部分的に湾曲していることを特徴とする請求項１乃至２８の何れかに記載の器具。
【請求項３０】
前記第２シーリング部材が湾曲していることを特徴とする請求項１乃至２９の何れかに記載の器具。
【請求項３１】
前記第２シーリング弁が、通路がその中を貫通する第３シーリング部材を有し、前記通路の中に物体を挿入して体腔にアクセスすることができることを特徴とする請求項２０乃至２４の何れかに記載の器具。
【請求項３２】
前記第２シーリング弁が、少なくとも部分的に膨張可能であることを特徴とする請求項２０乃至２４の何れかに記載の器具。
【請求項３３】
前記第２シーリング弁が、アイリスバルブからなることを特徴とする請求項２０乃至２４の何れかに記載の器具。
【請求項３４】
体腔への開口をシールするための第３シーリング弁を有することを特徴とする請求項１乃至３３の何れかに記載の器具。
【請求項３５】
外科用アセンブリであって、
体腔への開口の側部を引っ張るためのレトラクタ器具と、
請求項１乃至３４の何れかに記載の外科用シーリング器具とを含むことを特徴とする外科用アセンブリ。
【請求項３６】
前記外科用シーリング器具が、前記レトラクタ器具に取り付けられていることを特徴とする請求項３５に記載のアセンブリ。
【手続補正書】
【提出日】平成21年6月30日(2009.6.30)
【手続補正１】
【補正対象書類名】特許請求の範囲
【補正対象項目名】全文
【補正方法】変更
【補正の内容】
【特許請求の範囲】
【請求項１】
個体の体内に皮下移植されるのに適合されたチャンバー、ここで、該チャンバーは、該チャンバーにより隔離された機能細胞を含む；
皮膚近傍で体外に配置されるよう、及び皮膚を通り該機能細胞へ酸素を運搬するように適合された、酸素提供促進容器；及び
それを通じて酸素輸送を促進するやり方で該個体の皮膚を治療するように適合された治療ユニット；
を含む装置。
【請求項２】
前記チャンバーが、前記機能細胞を体の構成要素から免疫隔離するように適合された、1個又は複数の壁を含む、請求項１に記載の装置。
【請求項３】
前記チャンバーが、その中に機能細胞が包埋されているゲルマトリックスを含む、請求項１に記載の装置。
【請求項４】
前記チャンバーが、酸素貯蔵庫を含む、請求項１に記載の装置。
【請求項５】
前記チャンバーが、10,000〜600,000個の膵島を含む、請求項１に記載の装置。
【請求項６】
前記機能細胞が、物質を放出することが可能であり、ここで前記チャンバーは、該物質に対し透過性であるが、前記機能細胞に対し実質的に非透過性である1個又は複数の壁を含み、その結果該物質が体へ放出される、請求項１に記載の装置。
【請求項７】
前記機能細胞が、甲状腺細胞、副甲状腺細胞、神経細胞、卵巣細胞、副腎細胞、腎皮質細胞、血管内皮細胞、胸腺細胞、卵巣細胞、精巣細胞、遺伝子操作された細胞、クローン細胞、及び幹細胞からなるリストより選択される、請求項６に記載の装置。
【請求項８】
前記機能細胞が、膵β細胞を含む、請求項６に記載の装置。
【請求項９】
前記チャンバーが、1000万〜60000万個のβ細胞を含む、請求項８に記載の装置。
【請求項１０】
前記チャンバーが、1000万個よりも少ないβ細胞を含む、請求項８に記載の装置。
【請求項１１】
前記酸素貯蔵庫が、酸素を保存し、かつ、該貯蔵庫の近傍に酸素濃度に応答して酸素を放出する材料を含む、請求項４に記載の装置。
【請求項１２】
前記酸素貯蔵庫が、ペルフルオロカーボン化合物を含む、請求項１１に記載の装置。
【請求項１３】
前記酸素貯蔵庫が、ヘモグロビンを含む、請求項１１に記載の装置。
【請求項１４】
前記酸素貯蔵庫が、シリコーンを含む、請求項１１に記載の装置。
【請求項１５】
前記酸素貯蔵庫が、水-ベースの材料を含む、請求項１１に記載の装置。
【請求項１６】
前記水-ベースの材料が、ヒドロゲルを含む、請求項１５に記載の装置。
【請求項１７】
前記ヒドロゲルが、アルギン酸塩及びアガロースからなるリストより選択される、請求項１６に記載の装置。
【請求項１８】
前記酸素貯蔵庫が、ゲルマトリックスを含む、請求項１１に記載の装置。
【請求項１９】
前記機能細胞が、ゲルマトリックスに包埋されている、請求項１８に記載の装置。
【請求項２０】
前記酸素提供促進容器が、皮膚に対して直接配置されるように適合されている、請求項１に記載の装置。
【請求項２１】
前記酸素提供促進容器が、酸素を発生するために電気分解を利用するように適合されている、請求項１に記載の装置。
【請求項２２】
前記チャンバーが、血管増殖因子で被覆されている、請求項１に記載の装置。
【請求項２３】
前記酸素提供促進容器が、皮膚の1mm〜15mm以内に配置されるように適合されている、請求項１に記載の装置。
【請求項２４】
前記機能細胞が、体からの物質の吸収、及び体からの物質の分解からなるリストより選択される作用の少なくとも1種を実行することが可能である、請求項１に記載の装置。
【請求項２５】
前記機能細胞が、肝臓細胞を含む、請求項２４に記載の装置。
【請求項２６】
前記チャンバーが、ウェハーを定めるように形状化されている、請求項１に記載の装置。
【請求項２７】
前記治療ユニットが、電気的治療ユニットを含む、請求項１に記載の装置。
【請求項２８】
前記治療ユニットが、機械的治療ユニットを含む、請求項１に記載の装置。
【請求項２９】
前記チャンバーが、血管内皮成長因子（ＶＥＧＦ）、血小板由来成長因子（ＰＤＧＦ）、血管透過性成長因子（ＶＰＦ）、塩基性繊維芽細胞成長因子（ｂＦＧＦ）、及びトランスフォーミング成長因子ベータ型（ＴＧＦ−ｂｅｔａ）からなる群から選ばれる１又は複数の因子で被覆されている、請求項２２に記載の装置。
【請求項３０】
個体の体内に皮下移植されるのに、及び該チャンバーにより隔離された機能細胞を保持するのに適合されたチャンバー；
皮膚近傍で体外に配置されるよう、及び皮膚を通り該機能細胞へ酸素を運搬するように適合された、酸素提供促進容器；及び
それを通じて酸素輸送を促進するやり方で該個体の皮膚を治療するように適合された治療ユニット；
を含む、機能細胞と共に使用するための装置。
【手続補正書】
【提出日】平成20年11月19日(2008.11.19)
【手続補正１】
【補正対象書類名】特許請求の範囲
【補正対象項目名】全文
【補正方法】変更
【補正の内容】
【特許請求の範囲】
【請求項１】
少なくとも一つの陰極を含む少なくとも一つの電極と、少なくとも一つの陽極を含む少なくとも一つの電極と、を有する少なくとも二つの電極と（前記陰極が器具を支持し、器具に対して電気的接続を提供するトレーを含み、前記陽極がタンクを含む）；
前記陽極と前記陰極を分離するための少なくとも一つの絶縁体と；
前記タンク内に配される電解液とを有し；
該電解液に少なくとも一つの酸化剤を生成するために、前記陰極と前記陽極間の電気ポテンシャルが電解液を通して電流を流すことができる、
器具の殺菌装置。
【請求項２】
さらに電解液貯蔵コンテナを有する、請求項１記載の装置。
【請求項３】
前記電解液貯蔵コンテナが交換可能である、請求項２記載の装置。
【請求項４】
前記電解液貯蔵コンテナが、該コンテナを前記装置に接続する時だけ前記タンクに電解液を流すことを許容する急速停止バルブをさらに有する、請求項３記載の装置。
【請求項５】
前記装置に前記電解液貯蔵コンテナを認識させ、該貯蔵コンテナ内の電解液の残量を測定するマイクロプロセッサ回路をさらに有する、請求項２記載の装置。
【請求項６】
塩水製造デバイスをさらに有する、請求項１記載の装置。
【請求項７】
前記器具が前記トレーと接触する、請求項１記載の装置。
【請求項８】
酸化還元測定デバイスをさらに有する、請求項１記載の装置。
【請求項９】
殺菌中に発生する水素ガスを除去するための通気孔または反応器をさらに有する、請求項１記載の装置。
【請求項１０】
前記トレーが多孔性である、請求項１記載の装置。
【請求項１１】
器具の内部に電解液を循環させるための管をさらに有する、請求項１記載の装置。
【請求項１２】
タンクに電解液を配するステップ；
タンクから電気的に絶縁されたトレーに器具を置くステップ；
電解反応において前記タンクが陽極に、前記トレーが陰極になるように、該タンクとトレーの間に電気ポテンシャルを提供するステップ；
電解液に少なくとも一種の酸化剤を生成するステップ；
とを有する器具の殺菌方法。
【請求項１３】
器具を置くステップが、器具とトレーを電気的に接続するように置くステップである、請求項１２記載の方法。
【請求項１４】
器具の表面に水素ガスを生成するステップをさらに含む、請求項１３記載の方法。
【請求項１５】
電解液の特徴的値を測定するステップをさらに含む、請求項１２記載の方法。
【請求項１６】
所望の範囲内に前記特徴的値を維持するために電気ポテンシャルを調整するステップをさらに含む、請求項１５記載の方法。
【請求項１７】
前記器具の内部表面または内部構成に電解液を循環させるステップをさらに含む、請求項１２記載の方法。
【請求項１８】
電解反応中に発生する水素ガスを通気または反応させることにより除去するステップをさらに含む、請求項１２記載の方法。
【請求項１９】
滅菌溶液で器具をすすぐステップをさらに含む、請求項１２記載の方法。
【請求項２０】
加熱空気で器具を乾燥するステップをさらに含む、請求項１２記載の方法。